(57)【要約】      （修正有）【課題】様々な乗場ドアの位置調整を簡便に行うことができるエレベータの乗場ドアの位置調整工具、及びそれを用いた乗場ドアハンガーの交換方法を提供する。【解決手段】位置調整工具は乗場ドアの裏面に固定され、下方の乗場敷居に向かってレーザー光を照射する照射装置４と乗場ドア１２の乗場敷居３０に固定され、照射装置４から照射されたレーザー光を映し出す位置確認板６と、を備える。照射装置４は、例えば乗場ドア１２の開閉方向に並行な線状のレーザー光を照射する。エレベータの乗場ドアハンガー２４を交換する場合、照射装置４からレーザー光を照射して、位置確認板６に映し出されるレーザー光の初期位置を取得する。乗場ドアハンガー２４を交換した後、再びレーザー光を照射して、位置確認板６に映し出されるレーザー光の現在位置を取得する。そして、現在位置が初期位置と重なるように、乗場ドアハンガー２４に対する乗場ドア１２の位置を調整する。【選択図】図１
2020193075.tif 000002
【特許請求の範囲】
【請求項１】
エレベータの乗場ドアの裏面に固定され、下方の乗場敷居に向かってレーザー光を照射する照射装置と、
前記乗場ドアの前記乗場敷居に固定され、前記照射装置から照射されたレーザー光を映し出す位置確認板と、
を備えることを特徴とするエレベータの乗場ドアの位置調整工具。
【請求項２】
前記照射装置は、前記乗場ドアの開閉方向に延びる線状のレーザー光を照射するように構成されていることを特徴とする請求項１に記載のエレベータの乗場ドアの位置調整工具。
【請求項３】
前記位置確認板は、前記レーザー光を映し出す確認面に前記レーザー光の位置を確認するための目盛が付されていることを特徴とする請求項１又は請求項２に記載のエレベータの乗場ドアの位置調整工具。
【請求項４】
前記照射装置は、前記乗場ドアに接触する設置面を前記乗場ドアに吸着固定するためのマグネットを含んで構成されることを特徴とする請求項１から請求項３の何れか１項に記載のエレベータの乗場ドアの位置調整工具。
【請求項５】
前記照射装置は、前記レーザー光の照射方向を調整可能に構成されていることを特徴とする請求項１から請求項４の何れか１項に記載のエレベータの乗場ドアの位置調整工具。
【請求項６】
前記位置確認板は、前記乗場敷居に接触する設置面を前記乗場敷居に吸着固定するためのマグネットを含んで構成されることを特徴とする請求項１から請求項５の何れか１項に記載のエレベータの乗場ドアの位置調整工具。
【請求項７】
請求項１から請求項６の何れか１項の位置調整工具を用いて前記エレベータの乗場ドアハンガーを交換する交換方法であって、
前記照射装置を前記乗場ドアの裏面に固定する照射装置設置工程と、
前記位置確認板を前記乗場敷居に設置する位置確認板設置工程と、
前記照射装置からレーザー光を照射して、前記位置確認板に映し出されるレーザー光の初期位置を取得する初期位置取得工程と、
前記エレベータの乗場ドアハンガーを交換する交換工程と、
前記照射装置から再びレーザー光を照射して、前記位置確認板に映し出されるレーザー光の現在位置を取得する現在位置取得工程と、
前記現在位置が前記初期位置と重なるように、前記乗場ドアハンガーに対する前記乗場ドアの位置を調整する調整工程と、
を備えることを特徴とする乗場ドアハンガーの交換方法。
【発明の詳細な説明】
【技術分野】
【０００１】
本発明は、エレベータの乗場ドアの位置調整工具、及びそれを用いた乗場ドアハンガーの交換方法に関する。
【背景技術】
【０００２】
エレベータの乗場ドアは、乗場ドアハンガーと呼ばれる部品によって上方から支持されている。保守工事において乗場ドアハンガーを交換する場合、乗場ドアを一旦乗場ドアハンガーから取り外して付け直すことが行われる。この際、ドアパネルと乗場三方枠との間の隙間を最適値に収めるように、乗場ドアハンガーに対する乗場ドアの位置を調整することが必要となる。
【０００３】
例えば、特許文献１には、エレベータのドアパネルの乗場ドアハンガーを交換する間、乗場ドアハンガーで吊っている時と同じ位置にドアパネルを保持するようにしたドアパネル保持装置が開示されている。この保持装置は、ドアパネルの側縁部の下部を囲むようにして拘束するドアパネル保持部と、ドアパネル保持部の下端部に設けられ、ドアパネル保持部を敷居上に着脱可能に保持する固定部と、を備えている。そして、乗場ドアハンガーを交換する場合、ドアパネルの側縁部に当該ドアパネル保持装置を取り付け、ドアパネルを支持するようにする。
【先行技術文献】
【特許文献】
【０００４】
【特許文献１】特開２０１７−２００８５１号公報
【発明の概要】
【発明が解決しようとする課題】
【０００５】
特許文献１の保持装置は、乗場ドアの側縁部を直接拘束する構造のため、乗場ドアの種類によっては当該保持装置を使用できないことも想定される。
【０００６】
本発明は、上述のような課題を解決するためになされたもので、様々な乗場ドアの位置調整を簡便に行うことができるエレベータの乗場ドアの位置調整工具、及びそれを用いた乗場ドアハンガーの交換方法を提供することを目的とする。
【課題を解決するための手段】
【０００７】
本発明のエレベータの乗場ドアの位置調整工具は、エレベータの乗場ドアの裏面に固定され、下方の乗場敷居に向かってレーザー光を照射する照射装置と、乗場ドアの乗場敷居に固定され、照射装置から照射されたレーザー光を映し出す位置確認板と、を備えるものである。
【０００８】
また、本発明の位置調整工具を用いて乗場ドアハンガーを交換する交換方法は、照射装置を乗場ドアの裏面に固定する照射装置設置工程と、位置確認板を乗場敷居に設置する位置確認板設置工程と、照射装置からレーザー光を照射して、位置確認板に映し出されるレーザー光の初期位置を取得する初期位置取得工程と、エレベータの乗場ドアハンガーを交換する交換工程と、照射装置から再びレーザー光を照射して、位置確認板に映し出されるレーザー光の現在位置を取得する現在位置取得工程と、現在位置が初期位置と重なるように、乗場ドアハンガーに対する乗場ドアの位置を調整する調整工程と、を備えるものである。
【発明の効果】
【０００９】
本発明のエレベータの乗場ドアの位置調整工具によれば、様々な乗場ドアの位置調整を簡便に行うことができる。また、本発明の位置調整工具を用いた乗場ドアハンガーの交換方法によれば、乗場ドアハンガーを交換した際の乗場ドアの位置調整を簡便に行うことが可能となる。
【図面の簡単な説明】
【００１０】
【図１】実施の形態１におけるエレベータの乗場ドア開閉装置及びこれに取り付けられた位置調整工具を示す斜視図である。
【図２】位置調整工具を乗場ドアの裏面から見た正面図である。
【図３】位置調整工具を乗場ドアの裏面から見た側面図である。
【図４】照射装置から位置確認板を見た図である。
【図５】位置確認板に写し出されたレーザー光の初期位置を示す一例である。
【図６】位置確認板に写し出されたレーザー光の現在位置を示す一例である。
【図７】乗場ドアの位置を調整した後において、位置確認板に写し出されたレーザー光の現在位置を示す一例である。
【図８】照射装置から照射されるレーザー光の変形例を説明するための図である。
【発明を実施するための形態】
【００１１】
以下、図面を参照して実施の形態について説明する。なお、各図において共通する要素には、同一の符号を付して、重複する説明を省略する。
【００１２】
実施の形態１．
１．実施の形態１の構成
図１は、実施の形態１におけるエレベータの乗場ドア開閉装置及びこれに取り付けられた位置調整工具を示す斜視図である。なお、図１は、エレベータの乗場に設置された乗場ドア開閉装置をエレベータ昇降路の内部側から見た状態を示している。
【００１３】
１−１．乗場ドア開閉装置の構成
図１に示すように、乗場ドア開閉装置１０は、乗場ドア１２を備えている。乗場ドア１２は、図示しない乗場三方枠と乗場床面とによって形成される乗場出入口を開閉するためのドアである。この乗場ドア１２は、乗場三方枠よりも昇降路側に配置され、戸閉時に乗場出入口全体を覆うように構成されている。本実施の形態では、乗場ドア開閉装置１０の一例として、乗場ドア１２を１枚ずつ両側に移動させて乗場出入口を開閉する、いわゆる２枚戸中央開き方式の乗場ドア開閉装置について説明する。
【００１４】
乗場出入口の上方には、ハンガーケース１６が設けられている。ハンガーケース１６は、乗場ドア１２を開閉するための開閉機構部及び乗場ドア１２自体を支持するためのものである。ハンガーケース１６は、建築梁又は支持梁といった昇降路固定体に固定される。
【００１５】
ハンガーケース１６には、レール１８、ハンガーケースカバー２０、ローププーリ２２等の開閉機構部が設けられている。レール１８は、乗場ドア１２を支持するとともに、乗場ドア１２の開閉方向を案内するために設けられたものである。ハンガーケースカバー２０は、レール１８等の開閉機構部を、昇降路の内部側から乗場出入口の幅全体にわたって覆うように、ハンガーケース１６に設けられている。ローププーリ２２は、２枚の乗場ドア１２を中央開きさせる、即ち反対方向に移動させるためのものである。
【００１６】
また、乗場出入口を開閉する乗場ドア１２は、上記レール１８によって吊られた状態で横方向に移動（開閉動作）するための構成を有している。具体的に、乗場ドア１２には、乗場ドアハンガー２４、ローラ２６等が設けられている。
【００１７】
乗場ドアハンガー２４は、その下端部が、図示しない高さ調整金等を介して、乗場ドア１２の上端面に２本のボルト２８によって締結固定されている。また、乗場ドア１２から上方に延びた上端部には、その乗場側に、水平方向の軸を介してローラ２６が回動自在に設けられている。そして、乗場ドア１２は、上記ローラ２６がレール１８の上面に載置されることにより、ローラ２６及び乗場ドアハンガー２４を介して、レール１８に吊られた状態で支持される。また、ローラ２６がレール１８上を転動することにより、レール１８によって吊られた状態で横方向に移動（開閉動作）する。
【００１８】
乗場ドア１２の下方には、乗場出入口の間口方向にわたって、乗場ドア１２の下端部の移動方向（開閉方向）を案内する乗場敷居３０が設置されている。また、この乗場敷居３０からは、エプロン３２が昇降路内に垂下されている。
【００１９】
１−２．位置調整工具の構成
図１に示すように、位置調整工具２は、乗場ドア１２の壁面に設置された照射装置４と、当該乗場ドア１２の下方の乗場敷居３０に設けられた位置確認板６とを含んで構成されている。図に示す例では、２枚の乗場ドア１２のそれぞれに対応して、照射装置４及び位置確認板６がそれぞれ設けられている。
【００２０】
図２は、位置調整工具を乗場ドアの裏面から見た正面図である。また、図３は、位置調整工具を乗場ドアの裏面から見た側面図である。さらに、図４は、照射装置から位置確認板を見た図である。これらの図では、２枚の乗場ドア１２のうちの一方の乗場ドア１２に配置された位置調整工具２を示している。
【００２１】
照射装置４は、発光部４ａから線状のレーザー光Ｌを照射する装置である。照射装置４は、設置面４ｂを設置対象の金属面に接触させて吸着固定するためのマグネットを含んで構成されている。ここでは、照射装置４は、鉛直下方の乗場敷居３０の方向に向かって乗場ドア１２の開閉方向に延びる線状のレーザー光Ｌを照射するように、乗場ドア１２の壁面に設置される。
【００２２】
位置確認板６は、照射装置４から照射されたレーザー光Ｌを映し出すための板部材である。位置確認板６は、レーザー光Ｌを映し出す確認面６ａと、確認面６ａから直角に曲げられた設置面６ｂとを有している。確認面６ａには、映し出されたレーザー光Ｌの位置を確認するための格子状の目盛６ｃが付されている。位置確認板６は、設置面６ｂを設置対象の金属面に接触させて吸着固定するためのマグネットを含んで構成されている。ここでは、位置確認板６は、確認面６ａが照射装置４と対向する向きで、設置面６ｂが乗場ドア１２の直下の乗場敷居３０の側縁部及びエプロン３２に吸着固定される。なお、位置確認板６は、エレベータ昇降路内のかごに接触しないように、確認面６ａ短手方向の長さが、かごと乗場敷居３０との間隙よりも小さくなる長さに設定されている。
【００２３】
２．位置調整工具の設置及び乗場ドアハンガーの交換方法
乗場ドアハンガー２４は、補修工事において交換を行う場合がある。乗場ドアハンガー２４は、乗場ドア１２を支持しているため、乗場ドアハンガー２４の交換作業ではボルト２８を取り外して乗場ドア１２を取り外す必要がある。乗場ドアハンガー２４を取り付ける場合、乗場三方枠と乗場ドア１２の隙間（チリ）が規定範囲となるように、乗場ドア１２の開閉を繰り返しながら微調整する必要がある。実施の形態の位置調整工具２は、このような乗場ドアハンガー２４の交換作業において作業効率を高めることを可能としたものである。以下、実施の形態の位置調整工具２を用いた乗場ドアハンガー２４の交換方法について順に説明する。
【００２４】
先ず最初の照射装置設置工程では、照射装置４が乗場ドア１２に設置される。ここでは、図２及び図３に示すように、照射装置４の発光部４ａが鉛直下方向となる向きで設置面４ｂが乗場ドア１２の壁面に吸着固定される。
【００２５】
次の位置確認板設置工程では、位置確認板６が乗場敷居３０に設置される。ここでは、図２から図４に示すように、位置確認板６は、照射装置４の発光部４ａから発光される線状のレーザー光Ｌが確認面６ａに写し出される位置に設置される。
【００２６】
次の初期位置取得工程では、照射装置４の発光部４ａから位置確認板６に向かってレーザー光が照射される。そして、位置確認板６に映し出されたレーザー光の初期位置が取得される。図５は、位置確認板に写し出されたレーザー光の初期位置を示す一例である。この図に示すように、この工程では、例えば、位置確認板６に写し出されたレーザー光Ｌの初期位置Ｌ１が、けがき線等によってマーキングされる。
【００２７】
次の交換工程では、乗場ドアハンガー２４が交換される。ここでは、先ず乗場ドア１２を固定しているボルト２８を取り外すことによって乗場ドア１２が取り外される。そして、乗場ドアハンガー２４が新たな乗場ドアハンガー２４と交換された後、乗場ドア１２が新たな乗場ドアハンガー２４に仮止めされる。
【００２８】
次の現在位置取得工程では、照射装置４の発光部４ａから位置確認板６に向かって再びレーザー光が照射される。そして、位置確認板６に映し出されたレーザー光Ｌの現在位置Ｌ２が取得される。図６は、位置確認板に写し出されたレーザー光の現在位置を示す一例である。この図に示す例では、位置確認板６に写し出されたレーザー光Ｌの現在位置Ｌ２が、初期位置Ｌ１に対してずれている。
【００２９】
次の調整工程では、位置確認板６に写し出されたレーザー光の現在位置Ｌ２が初期位置Ｌ１に重なるように、乗場ドアハンガー２４に対する乗場ドア１２の位置が微調整される。図７は、乗場ドアの位置を調整した後において、位置確認板に写し出されたレーザー光の現在位置を示す一例である。この図に示す例では、レーザー光の現在位置Ｌ２が初期位置Ｌ１に重なっているので、この状態でボルト２８を本締めする。これにより、乗場ドア１２が乗場ドアハンガー２４に固定される。
【００３０】
このように、位置調整工具２によれば、乗場ドアハンガー２４の交換前後において、位置確認板６に対する照射装置４の相対位置、つまり乗場敷居に対する乗場ドア１２の相対位置を同じ位置に調整することができる。これにより、乗場ドアハンガー２４の交換後の乗場三方枠に対する乗場ドア１２の隙間（チリ）を簡便に調整することが可能となる。
【００３１】
３．実施の形態の位置調整工具の変形例
実施の形態の位置調整工具２は、以下のように変形した態様を適用してもよい。
【００３２】
照射装置４は、線状のレーザー光Ｌを照射する構成に限らない。図８は、照射装置から照射されるレーザー光の変形例を説明するための図である。なお、図８では、位置確認板６に映し出されたレーザー光を示している。この図に示すように、例えば照射装置４は、複数の発光部４ａからそれぞれ異なるレーザー光Ｐ１，Ｐ２を照射する構成でもよい。このような構成においても、複数のレーザー光Ｐ１，Ｐ２の位置が乗場ドアハンガー２４の交換前後において一致するように、乗場ドア１２の取り付け位置を微調整すればよい。
【００３３】
照射装置４は、鉛直下方側に向かって照射するレーザー光に加えて、更に乗場ドア１２の開閉方向に向かってレーザー光を照射する構成を備えていてもよい。この場合、当該開閉方向のレーザー光を映し出すことができる位置に位置確認板６を更に設けることとすればよい。このような構成によれば、乗場ドア１２の高さ方向の位置調整も行うことが可能となる。
【００３４】
位置確認板６に付された目盛６ｃは、格子状の目盛に限らない。すなわち、目盛６ｃは、乗場ドアハンガー２４に対する乗場ドア１２の位置調整の際の調整量の目安になるように付されていれば、その形態に限定はない。
【００３５】
照射装置４は、発光部４ａから照射されるレーザー光の照射方向を調整可能に構成されていてもよい。このような構成によれば、位置確認板６を発光部４ａの直下となる位置に設置できない場合であっても、照射装置４から照射されたレーザー光Ｌを位置確認板６に映し出すことが可能となる。
【００３６】
照射装置４は、マグネット以外の固定方法を備えた構成でもよい。すなわち、照射装置４は、吸盤又は接着等、他の公知の固定方法を採用してもよい。位置確認板６についても同様に、マグネット以外の他の公知の固定方法を採用してもよい。
【００３７】
照射装置４から照射されるレーザー光は可視光に限定されず、ＵＶレーザー光等の不可視光でもよい。ＵＶレーザー光を照射する照射装置４を用いる場合は、例えばＵＶレーザー光を受けて光る塗料を位置確認板６の表面に塗布しておくことにより、レーザー光の位置を確認することができる。
【符号の説明】
【００３８】
２  位置調整工具
４  照射装置
４ａ  発光部
４ｂ  設置面
６  位置確認板
６ａ  確認面
６ｂ  設置面
６ｃ  目盛
１０  乗場ドア開閉装置
１２  乗場ドア
１６  ハンガーケース
１８  レール
２０  ハンガーケースカバー
２２  ローププーリ
２４  乗場ドアハンガー
２６  ローラ
２８  ボルト
３０  乗場敷居
３２  エプロン
【図１】
2020193075.tif 000003
【図２】
2020193075.tif 000004
【図３】
2020193075.tif 000005
【図４】
2020193075.tif 000006
【図５】
2020193075.tif 000007
【図６】
2020193075.tif 000008
【図７】
2020193075.tif 000009
【図８】
2020193075.tif 000010